(57)【要約】【課題】超低電力が要求されるときでも、消費電力が大きくならず、且つ、高精度な時刻修正が可能な時刻修正装置等を提供すること。【解決手段】受信部２４と、電源部２７と、表示時刻情報修正部３７と、を有し、受信部が受信した信号の符号信号情報は、フレーム情報（Ｓ）毎に受信する構成となり、フレーム情報のフレームタイミング情報（Ｓａ１）と、受信部の受信部タイミング情報（Ｂａ１）と差分タイミング情報５９ａを生成する差分タイミング情報生成部３９を有し、差分タイミング情報は、複数の差分タイミング情報５７ａ、５８ａとなっており、これら複数の差分タイミング情報の差分タイミング変化情報５９ａを生成する差分タイミング変化情報生成部６１を備え、表示時刻情報修正部３６が差分タイミング変化情報に基づいて、表示時刻情報２５を修正する時刻修正装置１０。【選択図】図１０
2008051526.tif 000002
【特許請求の範囲】
【請求項１】
基地局からの信号を受信する受信部と、
前記受信部が通信を行うための電力を供給する電源部と、
時刻表示部の表示時刻情報を修正する表示時刻情報修正部と、を有する時刻修正装置であって、
前記受信部が受信した前記信号には、符号信号情報が含まれており、
前記符号信号情報は、フレーム情報を有し、
前記受信部は、前記符号信号情報を前記フレーム情報毎に受信する構成となっており、
前記フレーム情報の特定部分のタイミング情報であるフレームタイミング情報と、前記フレーム情報の特定部分を受信するために受信部が動作する受信部タイミング情報との差分情報である差分タイミング情報を生成する差分タイミング情報生成部を有し、
前記差分タイミング情報は、その取得時間が異なる複数の前記差分タイミング情報となっており、これら複数の差分タイミング情報の変化情報である差分タイミング変化情報を生成する差分タイミング変化情報生成部を備え、
前記表示時刻情報修正部が前記差分タイミング変化情報に基づいて、前記表示時刻情報を修正する構成となっていることを特徴とする時刻修正装置。
【請求項２】
前記基地局から送信される複数の前記フレーム情報のうち、少なくとも一部のフレーム情報の前記特定部分は、ＧＰＳ（Ｇｌｏｂａｌ  Ｐｏｓｉｔｉｏｎｉｎｇ  Ｓｙｓｔｅｍ）時刻情報と対応したＧＰＳ基準フレーム部分情報となっており、
前記差分タイミング情報が、前記ＧＰＳ基準フレーム部分情報と、これに対応する前記受信部タイミング情報との差分タイミング情報であることを特徴とする請求項１に記載の時刻修正装置。
【請求項３】
前記差分タイミング情報は、前記受信部が前記基地局の発信する時刻情報を含むメッセージデータを受信した際に取得する基本差分タイミング情報と、前記受信部が、前記メッセージデータを取得した後に取得する比較差分タイミング情報と、を有し、
前記差分タイミング変化情報が、前記基本差分タイミング情報と前記比較差分タイミング情報の変化情報であることを特徴とする請求項１又は請求項２に記載の時刻修正装置。
【請求項４】
前記時刻情報は、前記受信部が受信する時刻である受信時刻情報から所定時間経過後の未来時刻情報となっており、
前記未来時刻情報と前記受信時刻情報との差分時間情報を格納する差分時間情報格納部と、
少なくとも、前記受信部が受信した前記未来時刻情報と前記差分時間情報に基づいて前記受信部の受信時刻情報を生成する受信時刻情報生成部と、
前記受信時刻情生成部で生成された前記受信時刻情報と、少なくとも、時刻修正装置の処理時間情報に基づき、前記表示時刻情報修正部の修正用の修正時刻情報を生成する修正時刻情報生成部と、を有することを特徴とする請求項３に記載の時刻修正装置。
【請求項５】
前記受信部が受信する前記時刻情報は、少なくとも、ＧＰＳ衛星のＧＰＳ時刻情報、前記基地局から発信される信号の基地局誤差時間情報、前記ＧＰＳ時刻情報を世界協定時（ＵＴＣ）に換算するＵＴＣ換算情報及び地域時間に換算する地域時間換算情報を有し、
前記受信時刻情報生成部は、少なくとも、前記ＧＰＳ時刻情報、前記ＵＴＣ換算情報、前記地域時間換算情報、前記基地局誤差時間情報及び前記差分情報に基づいて前記受信時刻情報を生成する構成となっていることを特徴とする請求項４に記載の時刻修正装置。
【請求項６】
前記時刻情報には、季節時間に換算する季節時間情報が含まれることを特徴とする請求項５に記載の時刻修正装置。
【請求項７】
前記時刻情報の前記地域時間換算情報と前記季節時間情報は、利用者が操作可能な外部入力部を介して入力可能な構成となっていることを特徴とする請求項６に記載の時刻修正装置。
【請求項８】
前記時刻修正装置の前記処理時間情報が固定値として格納されていることを特徴とする請求項４乃至請求項７のいずれかに記載の時刻修正装置。
【請求項９】
前記基地局から発信される信号が、ＣＤＭＡ（Ｃｏｄｅ  Ｄｉｖｉｓｉｏｎ  Ｍｕｌｔｉｐｌｅ  Ａｃｃｅｓｓ、符号分割多重接続）方式の携帯電話通信網で基地局から発信される信号であることを特徴とする請求項１乃至請求項８のいずれかに記載の時刻修正装置。
【請求項１０】
基地局からの信号を受信する受信部と、
前記受信部が通信を行うための電力を供給する電源部と、
表示時刻情報を表示する時刻情報表示部と、
前記時刻情報表示部の前記表示時刻情報を修正する表示時刻情報修正部と、を有する時刻修正装置付き計時装置であって、
前記受信部が受信した前記信号には、符号信号情報が含まれており、
前記符号信号情報は、フレーム情報を有し、
前記受信部は、前記符号信号情報を前記フレーム情報毎に受信する構成となっており、
前記フレーム情報の特定部分のタイミング情報であるフレームタイミング情報と、前記フレーム情報の特定部分を受信するために受信部が動作する受信部タイミング情報との差分情報である差分タイミング情報を生成する差分タイミング情報生成部を有し、
前記差分タイミング情報は、その取得時間が異なる複数の前記差分タイミング情報となっており、これら複数の差分タイミング情報の変化情報である差分タイミング変化情報を生成する差分タイミング変化情報生成部を備え、
前記表示時刻情報修正部が前記差分タイミング変化情報に基づいて、前記表示時刻情報を修正する構成となっていることを特徴とする時刻修正装置付き計時装置。
【請求項１１】
基地局からの信号を受信する受信部と、
前記受信部が通信を行うための電力を供給する電源部と、
時刻表示部の表示時刻情報を修正する表示時刻情報修正部と、を有する時刻修正方法であって、
前記受信部が受信した前記信号には、符号信号情報が含まれており、
前記符号信号情報は、フレーム情報を有し、
前記受信部は、前記符号信号情報を前記フレーム情報毎に受信する構成となっており、
差分タイミング情報生成部が、前記フレーム情報の特定部分のタイミング情報であるフレームタイミング情報と、前記フレーム情報の特定部分を受信するために受信部が動作する受信部タイミング情報との差分情報である差分タイミング情報を生成する差分タイミング情報生成工程と、
前記差分タイミング情報は、その取得時間が異なる複数の前記差分タイミング情報となっており、差分タイミング変化情報生成部が、これら複数の差分タイミング情報の変化情報である差分タイミング変化情報を生成する差分タイミング変化情報生成工程と、
前記表示時刻情報修正部が前記差分タイミング変化情報に基づいて、前記表示時刻情報を修正する表示時刻情報修正工程と、を有することを特徴とする時刻修正方法。
【発明の詳細な説明】
【技術分野】
【０００１】
本発明は、例えばＣＤＭＡ（Ｃｏｄｅ  Ｄｉｖｉｓｉｏｎ  Ｍｕｌｔｉｐｌｅ  Ａｃｃｅｓｓ、符号分割多重接続）方式の携帯電話通信網で基地局から発信される信号に含まれる時刻情報に基づいて時刻修正を行う時刻修正装置、時刻修正装置付き計時装置及び時刻修正方法に関するものである。
【背景技術】
【０００２】
現在、ＣＤＭＡ方式の携帯電話通信網で基地局から携帯電話機に対して発信される信号には、時刻情報が含まれ、この時刻情報は、ＧＰＳ（Ｇｌｏｂａｌ  Ｐｏｓｉｔｉｏｎｉｎｇ  Ｓｙｓｔｅｍ）衛星の原子時計に基づくＧＰＳ時刻に合致した極めて精度の高い時刻情報となっている。
したがって、このＣＤＭＡ方式の携帯電話通信網で基地局から送信されるＧＰＳ時刻データを端末が取得し、このＧＰＳ時刻データを用いて内蔵時計の時刻データを補正しようとする提案がなされている（例えば、特許文献１）。
【特許文献１】特開２０００−３２１３８３号公報（要約等）
【発明の開示】
【発明が解決しようとする課題】
【０００３】
しかし、ＣＤＭＡ方式の携帯電話通信網で基地局から送信される時刻データは、例えば、シンクチャネルメッセージ内に様々データとして格納されており、時刻修正をするには、このシンクチャネルメッセージ内の時刻に関するデータを全て取得する必要がある。
このようにシンクチャネルメッセージ内の時刻に関するデータを全て取得するためには、例えば、１０秒程度の間、基地局から信号を受信する必要があり、消費電力が大となってしまう。そのため、時計等の超低電力が求められる機器では、時刻修正する間隔を一定時間、例えば、１２時間程度あける必要があった。
通常、時計等の場合は、１２時間で±２５０ｍｓ（ミリ秒）（月差で±１５秒）程度の時刻誤差が生じ、これでは時計等の精度高く維持できないという問題があった。
【０００４】
そこで、本発明は、超低電力が要求されるときでも、消費電力が大きくならず、且つ、高精度な時刻修正が可能な時刻修正装置、時刻修正装置付き計時装置及び時刻修正方法を提供することを目的とする。
【課題を解決するための手段】
【０００５】
前記課題は、本発明によれば、基地局からの信号を受信する受信部と、前記受信部が通信を行うための電力を供給する電源部と、時刻表示部の表示時刻情報を修正する表示時刻情報修正部と、を有する時刻修正装置であって、前記受信部が受信した前記信号には、符号信号情報が含まれており、前記符号信号情報は、フレーム情報を有し、前記受信部は、前記符号信号情報を前記フレーム情報毎に受信する構成となっており、前記フレーム情報の特定部分のタイミング情報であるフレームタイミング情報と、前記フレーム情報の特定部分を受信するために受信部が動作する受信部タイミング情報との差分情報である差分タイミング情報を生成する差分タイミング情報生成部を有し、前記差分タイミング情報は、その取得時間が異なる複数の前記差分タイミング情報となっており、これら複数の差分タイミング情報の変化情報である差分タイミング変化情報を生成する差分タイミング変化情報生成部を備え、前記表示時刻情報修正部が前記差分タイミング変化情報に基づいて、前記表示時刻情報を修正する構成となっていることを特徴とする時刻修正装置により達成される。
【０００６】
前記構成によれば、受信部が受信した信号には、符号信号情報が含まれており、符号信号情報は、フレーム情報を有し、受信部は、符号信号情報をフレーム情報毎に受信する構成となっている。
つまり、受信部は、例えば、詳細な時刻情報を受信することなく、フレーム情報毎の符号信号情報を受信するだけで良いので、極めて短時間の信号受信で足りることとなる。
したがって、消費電力が極めて小さい時刻修正装置となっている。
また、このように、消費電力が極めて小さいため、従来の時刻修正装置のように、時刻修正間隔を例えば、１２時間程度と長くする必要がなく、極めて短時間、例えば１０秒等程度で時刻修正を行うことができる。
したがって、時刻修正をより頻繁にできるので、時計等の表示時刻情報を常に精度良く維持させることができる。
【０００７】
また、前記構成によれば、フレーム情報の特定部分のタイミング情報であるフレームタイミング情報と、フレーム情報の特定部分を受信するために受信部が動作する受信部タイミング情報との差分情報である差分タイミング情報を生成する差分タイミング情報生成部を有し、差分タイミング情報は、その取得時間が異なる複数の前記差分タイミング情報となっており、これら複数の差分タイミング情報の変化情報である差分タイミング変化情報を生成する差分タイミング変化情報生成部を備え、前記表示時刻情報修正部が前記差分タイミング変化情報に基づいて、前記表示時刻情報を修正する構成となっている。
このように、フレームタイミング情報と受信部タイミング情報との差分タイミング情報という極めて精度の高い情報に基づいて表示時刻情報を修正するので、正確に時刻修正を行うことができる。
【０００８】
好ましくは、前記基地局から送信される複数の前記フレーム情報のうち、少なくとも一部のフレーム情報の前記特定部分は、ＧＰＳ（Ｇｌｏｂａｌ  Ｐｏｓｉｔｉｏｎｉｎｇ  Ｓｙｓｔｅｍ）時刻情報と対応したＧＰＳ基準フレーム部分情報となっており、前記差分タイミング情報が、前記ＧＰＳ基準フレーム部分情報と、これに対応する前記受信部タイミング情報との差分タイミング情報であることを特徴とする時刻修正装置である。
【０００９】
前記構成によれば、基地局から送信される複数のフレーム情報のうち、少なくとも一部のフレーム情報の特定部分は、ＧＰＳ時刻情報と対応したＧＰＳ基準フレーム部分情報となっており、差分タイミング情報が、ＧＰＳ基準フレーム部分情報と、これに対応する受信部タイミング情報との差分タイミング情報である。
このため、差分タイミング情報は、原子時計等に基づく極めて精度の高いＧＰＳ時刻との差分タイミング情報なので、より精度が高い時刻修正をすることができる。
【００１０】
好ましくは、前記差分タイミング情報は、前記受信部が前記基地局の発信する時刻情報を含むメッセージデータを受信した際に取得する基本差分タイミング情報と、前記受信部が、前記メッセージデータを取得した後に取得する比較差分タイミング情報と、を有し、
前記差分タイミング変化情報が、前記基本差分タイミング情報と前記比較差分タイミング情報の変化情報であることを特徴とする時刻修正装置である。
【００１１】
前記構成によれば、差分タイミング情報は、受信部が基地局の発信する時刻情報を含むメッセージデータを受信した際に取得する基本差分タイミング情報と、受信部が、メッセージデータを取得した後に取得する比較差分タイミング情報と、を有し、差分タイミング変化情報が、基本差分タイミング情報と比較差分タイミング情報の変化情報となっている。
このため、受信部が基地局の発信する時刻情報を含むメッセージデータを受信して時刻修正を行った際の基本差分タイミング情報を基準として、その後の微調整を比較差分タイミング情報に基づいて行うことができるので、より効率的な時刻修正が可能となる。
【００１２】
好ましくは、前記時刻情報は、前記受信部が受信する時刻である受信時刻情報から所定時間経過後の未来時刻情報となっており、前記未来時刻情報と前記受信時刻情報との差分時間情報を格納する差分時間情報格納部と、少なくとも、前記受信部が受信した前記未来時刻情報と前記差分時間情報に基づいて前記受信部の受信時刻情報を生成する受信時刻情報生成部と、前記受信時刻情生成部で生成された前記受信時刻情報と、少なくとも、時刻修正装置の処理時間情報に基づき、前記表示時刻情報修正部の修正用の修正時刻情報を生成する修正時刻情報生成部と、を有することを特徴とする時刻修正装置である。
【００１３】
前記構成によれば、差分タイミング情報を生成する前に、時刻修正装置の受信部が受信する時刻情報は、受信部が受信する時刻である受信時刻情報から所定時間経過後の未来時刻情報となっている。また、時刻修正装置は、この受信時刻情報と未来時刻情報との差分時間情報を有している。
また、時刻修正装置は、この未来時刻情報と差分時間情報に基づき受信時刻情報を生成する受信時刻情報生成部を有している。
このため、この受信時刻情報生成部によって、時刻修正装置が受信した受信時刻情報を正確に取得することができる。
したがって、前記構成では、従来のように基地局から受信した未来時間について、当該未来時刻となるまで、受信部が信号を受信し続けなくても、正確な時刻情報を取得できる。このため、時刻修正装置の受信部は、未来時刻情報を取得した後、信号を受信し続ける必要がなく、受信部が信号を受信しない状態とすることができる。
以上から、従来と比べ、信号を受信する時間を大幅に減らすことができ、消費電力を大幅に少なくすることができる。つまり、前記構成では、超低電力が求められる機器等にも対応可能な時刻修正装置となる。
【００１４】
ところで、上述の受信時刻情報で時刻修正装置の表示時刻情報修正部が時刻情報表示部を修正すると、この受信時刻情報を算出等するために同装置が動作等した時間だけ時刻が相違することになる。
時刻修正装置は、修正時刻情報生成部が、少なくとも、上述の受信時刻情報と処理時間情報に基づいて、修正時刻情報を生成する構成を有している。
すなわち、前記構成の時刻修正装置は、同装置内で、かかる受信時刻情報生成部が動作等する時間である処理時間情報を有し、この処理時間情報に基づき、最終的に時刻情報表示部を修正することで、極めて精度の高い時刻修正を可能としている。
【００１５】
好ましくは前記受信部が受信する前記時刻情報は、少なくとも、ＧＰＳ衛星のＧＰＳ時刻情報、前記基地局から発信される信号の基地局誤差時間情報、前記ＧＰＳ時刻情報を世界協定時（ＵＴＣ）に換算するＵＴＣ換算情報及び地域時間に換算する地域時間換算情報を有し、前記受信時刻情報生成部は、少なくとも、前記ＧＰＳ時刻情報、前記ＵＴＣ換算情報、前記地域時間換算情報、前記基地局誤差時間情報及び前記差分情報に基づいて前記受信時刻情報を生成する構成となっていることを特徴とする時刻修正装置である。
【００１６】
前記構成によれば、時刻情報は、ＧＰＳ時刻情報を有している。これは地球の上空を周回するＧＰＳ衛星内の原子時計のデータであり、極めて正確な時間情報である。また、時刻情報は、基地局誤差時間情報を有している。この基地局誤差時間情報は、信号の受信側がどの基地局からの信号を受信したかを識別するため、時刻を違えて信号を送信している情報であり、例えば、６４チップ（０．０５２ｍｓ）単位ずつ時刻を違えて送信している。受信側はこの時刻誤差を把握することで、基地局を特定することができることなる。
したがって、時刻修正装置は、ＧＰＳ時刻情報と、基地局誤差時間情報で、誤差がないより正確な実際の受信時刻情報等を取得することが可能な構成となっている。
【００１７】
また、時刻情報は、ＧＰＳ時刻情報を世界協定時に換算するＵＴＣ換算情報や地域時間に換算する地域時間換算情報を有し、受信時刻情報生成部は、少なくとも、ＧＰＳ時刻情報、ＵＴＣ換算情報、地域時間換算情報、基地局誤差時間情報及び差分情報に基づいて前記受信時刻情報を生成する構成となっている。
このため、ＧＰＳ時刻を世界協定時に直し、さらに地域時間（例えば、日本時間）に直すことができるので、時刻修正装置が修正しようとする時刻情報表示部が所在する国や地域等における時差を考慮した当該国及び地域の時間を正確に取得することができる。
【００１８】
好ましくは、前記時刻情報には、季節時間に換算する季節時間情報が含まれることを特徴とする時刻修正装置である。
【００１９】
前記構成によれば、時刻情報には、季節時間に換算する季節時間情報が含まれているので、地域によってサマータイム等の季節時間が変更する場合でも、この変更する季節時間に合った時刻を正確に取得することができる。
【００２０】
好ましくは、前記時刻情報の前記地域時間換算情報と前記季節時間情報は、利用者が操作可能な外部入力部を介して入力可能な構成となっていることを特徴とする時刻修正装置である。
【００２１】
前記構成によれば、時刻情報の地域時間換算情報と季節時間情報は、利用者が操作可能な外部入力部を介して入力可能な構成となっているので、利用者の設定したい地域時間や季節時間とすることができる。
【００２２】
好ましくは、前記時刻修正装置の前記処理時間情報が固定値として格納されていることを特徴とする時刻修正装置である。
【００２３】
前記構成によれば、時刻修正装置の処理時間情報が固定値として格納されているので、処置時間情報を外部から取得することなく迅速に時刻修正をすることができる。
【００２４】
好ましくは、前記基地局から発信される信号が、ＣＤＭＡ（Ｃｏｄｅ  Ｄｉｖｉｓｉｏｎ  Ｍｕｌｔｉｐｌｅ  Ａｃｃｅｓｓ、符号分割多重接続）方式の携帯電話通信網で基地局から発信される信号であることを特徴とする時刻修正装置である。
【００２５】
前記構成によれば、基地局から発信される信号が、ＣＤＭＡ（Ｃｏｄｅ  Ｄｉｖｉｓｉｏｎ  Ｍｕｌｔｉｐｌｅ  Ａｃｃｅｓｓ、符号分割多重接続）方式の携帯電話通信網で基地局から発信される信号であるので、ＣＤＭＡ方式の携帯電話通信網を利用することで、精度の高い時刻修正をすることができる。
【００２６】
前記課題は、本発明によれば、基地局からの信号を受信する受信部と、前記受信部が通信を行うための電力を供給する電源部と、表示時刻情報を表示する時刻情報表示部と、
前記時刻情報表示部の前記表示時刻情報を修正する表示時刻情報修正部と、を有する時刻修正装置付き計時装置であって、前記受信部が受信した前記信号には、符号信号情報が含まれており、前記符号信号情報は、フレーム情報を有し、前記受信部は、前記符号信号情報を前記フレーム情報毎に受信する構成となっており、前記フレーム情報の特定部分のタイミング情報であるフレームタイミング情報と、前記フレーム情報の特定部分を受信するために受信部が動作する受信部タイミング情報との差分情報である差分タイミング情報を生成する差分タイミング情報生成部を有し、前記差分タイミング情報は、その取得時間が異なる複数の前記差分タイミング情報となっており、これら複数の差分タイミング情報の変化情報である差分タイミング変化情報を生成する差分タイミング変化情報生成部を備え、前記表示時刻情報修正部が前記差分タイミング変化情報に基づいて、前記表示時刻情報を修正する構成となっていることを特徴とする時刻修正装置付き計時装置により達成される。
【００２７】
前記課題は、本発明によれば、基地局からの信号を受信する受信部と、前記受信部が通信を行うための電力を供給する電源部と、時刻表示部の表示時刻情報を修正する表示時刻情報修正部と、を有する時刻修正方法であって、前記受信部が受信した前記信号には、符号信号情報が含まれており、前記符号信号情報は、フレーム情報を有し、前記受信部は、前記符号信号情報を前記フレーム情報毎に受信する構成となっており、差分タイミング情報生成部が、前記フレーム情報の特定部分のタイミング情報であるフレームタイミング情報と、前記フレーム情報の特定部分を受信するために受信部が動作する受信部タイミング情報との差分情報である差分タイミング情報を生成する差分タイミング情報生成工程と、前記差分タイミング情報は、その取得時間が異なる複数の前記差分タイミング情報となっており、差分タイミング変化情報生成部が、これら複数の差分タイミング情報の変化情報である差分タイミング変化情報を生成する差分タイミング変化情報生成工程と、前記表示時刻情報修正部が前記差分タイミング変化情報に基づいて、前記表示時刻情報を修正する表示時刻情報修正工程と、を有することを特徴とする時刻修正方法により達成される。
【発明を実施するための最良の形態】
【００２８】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２９】
図１は、本発明に係る時刻修正装置付き計時装置である例えば、時刻修正装置付き腕時計１０（以下「腕時計」という）を示す概略図であり、図２は、図１の腕時計１０の内部の主なハードウエア構成等を示す概略図である。
図１に示すように、腕時計１０は、その表面に文字板１２、長針、短針等の針１３等が配置されると共に、各種メッセージが表示されるＬＥＤ等からなるディスプレイ１４が形成されている。なお、ディスプレイ１４は、ＬＥＤの他、ＬＣＤ、アナログ表示等でも構わない。
【００３０】
また、図１に示すように、腕時計１０は、アンテナ１１を有しており、このアンテナ１１は、ＣＤＭＡ基地局１５ａ、１５ｂ等からの信号を受信する構成となっている。つまり、ＣＤＭＡ基地局１５ａ等は、ＣＤＭＡ方式の携帯電話通信網の基地局となっている。
しかし、本実施の形態の腕時計１０は携帯電話機能を有していないためのＣＤＭＡ基地局１５ａ等と電話通信をするものではなく、ＣＤＭＡ基地局１５ａ等から送信される信号から時刻情報等を受信し、その信号に基づいて時刻修正をしようとするものである。ＣＤＭＡ基地局１５ａ等から送信される信号も内容については後述する。
また、図１に示すように、腕時計１０には、その利用者が操作可能なりゅうず２８が形成されている。
このりゅうず２８は、腕時計１０の利用者が操作可能な外部入力部の一例となっている。
【００３１】
先ず、図１の腕時計１０のハードウエア構成等について説明する。図２に示すように、腕時計１０はバス２０を備え、バス２０には、ＣＰＵ（Ｃｅｎｔｒａｌ  Ｐｒｏｃｅｓｓｉｎｇ  Ｕｎｉｔ）２１、ＲＡＭ（Ｒａｎｄｏｍ  Ａｃｃｅｓｓ  Ｍｅｍｏｒｙ）２２、ＲＯＭ（Ｒｅａｄ  Ｏｎｌｙ  Ｍｅｍｏｒｙ）２３等が接続されている。
また、バス２０には、ＣＤＭＡ基地局１５ａ等からの信号を受信する受信部である例えば、ＣＤＭＡ基地局電波受信機２４が接続されている。このＣＤＭＡ基地局電波受信機２４は、図１のアンテナ１１を有している。
また、バス２０には、時計機構であるＩＣ（半導体集積回路）等からなるリアルタイムクロック（ＲＴＣ）２５や温度補償回路付き水晶発振回路（ＴＣＸＯ）２６等も接続されている。
【００３２】
このように、図１の文字板１２、針１３、ＲＴＣ２５及びＴＣＸＯ２６等は、表示時刻情報を表示する時刻情報表示部の一例となっている。
【００３３】
また、バス２０には、電池２７が接続され、この電池２７は、受信部（例えば、ＣＤＭＡ基地局電波受信機２４）が通信を行うための電力を供給する電源部の一例となっている。
【００３４】
また、バス２０には、図１のディスプレイ１４やりゅうず２８が接続されている。このように、バス２０は、すべてのデバイスを接続する機能を有し、アドレスやデータパスを有する内部バスである。ＲＡＭ２２は、所定のプログラムの処理を行う他、バス２０に接続されたＲＯＭ２３等を制御している。ＲＯＭ２３は、各種プログラムや各種情報等を格納している。
【００３５】
図３乃至図６は、腕時計１０の主なソフトウエア構成等を示す概略図であり、図３は全体図である。
図３に示すように、腕時計１０は、制御部２９を有し、制御部２９は、図３に示す各種プログラム格納部３０内の各種プログラム、第１の各種データ記憶部４０内の各種データ及び第２の各種データ記憶部５０内の各種データを処理する構成となっている。
また、図３には、各種プログラム格納部３０、第１の各種データ記憶部４０及び第２の各種データ記憶部５０と分けて示してあるが、実際に、このようにデータが分けて格納されているわけではなく、説明上の便宜のために分けて記載したものである。
なお、図３の第１の各種データ記憶部４０には、主に予め格納されているデータをまとめて示した。また、第２の各種データ記憶部５０には、第１の各種データ記憶部４０内のデータ等を各種プログラム格納部３０内のプログラムで処理した後のデータ等を主に示した。
図４は、図３の各種プログラム格納部３０内のデータを示す概略図であり、図５は、図３の第１の各種データ記憶部４０内のデータを示す概略図である。また、図６は、図３の第２の各種データ記憶部５０内のデータを示す概略図である。
図７乃至図９は、本実施の形態にかかる腕時計１０の主な動作等を示す概略フローチャートである。
【００３６】
以下、図７乃至図９のフローチャートにしたがって本実施の形態に係る腕時計１０の動作等を説明しつつ、その関連で図４乃至図６の各種プログラムや各種データを説明する。
フローチャートの説明に入る前にＣＤＭＡ方式の携帯電話システムのうち、本実施の形態と関連ある部分を説明する。
ＣＤＭＡ方式の携帯電話システムは米国クアルコム社が開発した方式が１９９３年に米国の標準方式の一つ「ＩＳ９５」に採用したことから本格的な運用が開始されており、これ以降、ＩＳ９５Ａ、ＩＳ９５Ｂ、ＣＤＭＡ２０００という改訂を経て現在に至っている。また、日本国ではＡＲＩＢ  ＳＴＤ−Ｔ５３に準じて携帯電話システムが運用されている。
このようなＣＤＭＡ方式は下り（ＣＤＭＡ基地局１５ａ等から移動局、本実施の形態では腕時計１０）は同期通信であるため、腕時計１０がＣＤＭＡ基地局１５ａ等の時刻データと同期する必要がある。ＣＤＭＡ基地局１５ａ等から送信される信号は、具体的には、パイロットチャネル信号と、シンクチャネル信号を有している。パイロットチャネル信号は、ＣＤＭＡ基地局１５ａ等ごとに、異なったタイミングで発信されている信号であり、例えば、パイロットＰＮ信号である。
【００３７】
図１０は、ＣＤＭＡ基地局１５ａ、１５ｂから送信される信号の同期タイミング等を示す概略図である。
これらのＣＤＭＡ基地局１５ａ、１５ｂから送信される信号は、同じであるため、この信号がどのＣＤＭＡ基地局１５ａ等から発信したかを識別するため、各ＣＤＭＡ基地局１５ａ等は、それぞれ他のＣＤＭＡ基地局１５ａ等と異なるタイミングで信号を発信している。
具体的には、このタイミングの相違は、ＣＤＭＡ基地局１５ａ等が発信するパイロットＰＮ信号の相違として表れる。すなわち、例えば、図１０のＣＤＭＡ基地局１５ｂは、ＣＤＭＡ基地局１５ａより僅かに遅れたタイミングで信号を発信している。具体的には、１２８ｃｈｉｐｓ（０．１０４ｍｓ（ミリ秒））分だけ、パイロットＰＮオフセットを設けている。
このように多数のＣＤＭＡ基地局１５ａ等が存在しても、各ＣＤＭＡ基地局１５ａ等が６４ｃｈｉｐの整数倍（本実施の形態では、６４ｃｈｉｐ×２）だけ、それぞれ異なるパイロットＰＮオフセットを設けることで、受信する腕時計１０は、どのＣＤＭＡ基地局１５ａ等からの信号を受信したかを容易に把握することができる構成となっている。
【００３８】
また、ＣＤＭＡ基地局１５ａ等から発信される信号には、シンクチャネル信号があり、これが図１１のシンクチャネルメッセージである。図１１は、シンクチャネルメッセージの内容を示す概略図である。
図１１に示すように、シンクチャネルメッセージには、上述したパイロットＰＮ信号のデータ、例えば、パイロットＰＮオフセットデータが６４ｃｈｉｐｓ（０．０５２ｍｓ）×Ｎ（０〜５１２）であることを示すデータ（本実施の形態では、１２８ｃｈｉｐ（０．１０４ｍｓ））が含まれている。このデータは、図１１では「ＰＩＬＯＴ＿ＰＮ」で表されている。
また、シンクチャネルメッセージには、ＧＰＳ時刻データであるシステム時間のデータも含まれている。
ＧＰＳ時刻は毎週日曜日の０時からの経過時間が秒で表示され、翌週の日曜日の０時に０に戻るようになっている。そして、この１週間についてはＧＰＳの週番号が付されているので、週番号と経過時間（秒）のデータを取得することで、受信側はＧＰＳ時刻を取得できる構成となっている。このデータは、図１１では「ＳＹＳ＿ＴＩＭＥ」で表されている。
【００３９】
また、シンクチャネルメッセージには、世界協定時（ＵＴＣ）に換算するための「うるう秒」のデータも含まれている。このデータは、図１１では、「ＬＰ＿ＳＥＣ」で表されている。
また、シンクチャネルメッセージには、時計１０が所在する国又は地域のＵＴＣに対する時差データである、ローカルオフセット時間が含まれている。すなわち、例えば、日本の場合は、ＵＴＣに９時間プラスされた時間である旨のデータ等が格納されている。
このデータは、図１１では、「ＬＴＭ＿ＯＦＦ」で表される。
また、シンクチャネルメッセージには、時計１０が所在する国や地域がサマータイム等を採用しているか否かのサマータイムデータも含まれている。日本の場合は、サマータイム制を採用していないため、そのデータは「０」となる。このデータは、図１１では、「ＤＡＹＬＴ」で表される。
【００４０】
このように、図１０のパイロットＰＮ信号データが、基地局（例えば、ＣＤＭＡ基地局１５ａ等）から発信される信号の基地局誤差時間情報の一例であり、ローカルオフセット情報が、地域時間に換算する地域時間換算情報の一例となっている。また、サマータイムデータは、季節時間に換算する季節時間情報の一例となっている。
【００４１】
図１１のシンクチャネルメッセージには、以上のような内容のデータが含まれるが、具体的には、各データは時系列に順番に送信される、送信される信号は、図１０に示すように、８０ｍｓ単位からなるスーパーフレーム（Ｓ）単位で送信され、シンクチャネルメッセージの最後のデータが含まれるのが、図１０のラストスーパーフレーム（ＬＳ）となる。すなわち、図１０のラストスーパーフレーム（ＬＳ）の最後のタイミング（図１０の「Ｅ」「ＥＥ」で示す部分）が、シンクチャネルメッセージの受信完了のタイミングとなっている。
また、ＣＤＭＡ方式では、図１１のシンクチャネルメッセージの上述のＧＰＳ時刻は、図１０の「Ｅ」における時刻とはなっておらず、その後、４スーパーフレーム（３２０ｍｓ）後における時刻、すなわち、図１０の「Ｆ」における時刻となっている。
具体的には、上述したパイロットＰＮオフセットデータが、０ｃｈｉｐ（０ｍｓ）の場合の時刻を基準とした、ラストスーパーフレームの最後のタイミングから４スーパーフレーム後の時刻となる。
【００４２】
これは、ＣＤＭＡがそもそも携帯電話で通信するためのシステムであることに基づく。つまり、携帯電話機は、ＣＤＭＡ基地局１５ａ等から図１１に示す、シンクチャネルメッセージを受信した後、ＣＤＭＡ基地局１５ａ等との同期通信をするための準備を携帯電話機内で行う必要がある。
具体的には、次のステージである「待ち受け状態」へ遷移するための準備をした後、ＣＤＭＡ基地局１５ａ等と同期をとり通信することになる。
そこで、この準備時間を考慮して、ＣＤＭＡ基地局１５ａ等は、予め未来の時刻である３２０ｍｓ後の時間を、事前に送信し、この時間を受信した携帯電話機が内部で処理を行い、準備が終わった後、この時刻でＣＤＭＡ基地局１５ａ等と同期を取りに行くと同期を取りやすくなるという構成となっている。換言すれば、この４スーパーフレーム（３２０ｍｓ）が携帯電話機側の準備時間となっている。
【００４３】
また、本実施の形態では、このシンクチャネル信号を受信するため、図１０のスーパーフレーム（Ｓ）単位のパイロットチャネル信号であるパイロットＰＮ信号を受信している。このパイロットＰＮ信号は、上述のようにスーパーフレーム（Ｓ）単位で送信され、それぞれのスーパーフレーム（Ｓ）は、８０ｍｓ単位となっている。
また、パイロットＰＮ信号のスーパーフレーム（Ｓ）の一部は、ＧＰＳ時刻の偶数秒毎に同期して発信されている。したがって、偶数秒毎におけるスーパーフレーム（Ｓ）の開始部分は、ＧＰＳ時刻と精度良く同期している構成となっている。
【００４４】
このように、パイロットＰＮ信号は、符号信号情報の一例であり、スーパーフレーム（Ｓ）が、フレーム情報の一例である。
【００４５】
以上が、本実施の形態におけるＣＤＭＡ方式の携帯電話システムの概略であり、以上の前提で、以下、本実施の形態を説明する。
本実施の形態では、先ず、シンクチャネル信号を受信し、時刻修正を行った後、例えば１０秒間隔で、パイロットチャネル信号（パイロットＰＮ信号）を用いて、時刻の微調整を行う。この時刻の微調整では、シンクチャネル信号を受信せず、パイロットＰＮ信号だけで時刻修正を行う。
そこで、最初にシンクチャネル信号を受信した時刻修正について説明し、その後、パイロットＰＮ信号を用いた時刻の微修正について説明する。
【００４６】
腕時計１０の時刻修正をする場合は、先ず、腕時計１０は、図７のＳＴ１に示すように、ＣＤＭＡ基地局１５ａ等から送信される電波のうち、パイロットチャネルの信号電波を受信するためのパイロットチャネルスキャンを行う。
そして、ＳＴ２では、腕時計１０と、一番近いＣＤＭＡ基地局１５ａ等からのパイロットチャネル信号と同期を取る。
具体的には、図４のパイロットＰＮ同期プログラム３１が、図１０に示すような、８０ｍｓ毎のパイロットチャネル信号（パイロットＰＮ信号）であるスーパーフレーム（Ｓ）と同期を取る。つまり、信号電波をダウンコンバートし、図示しないベースバンド部が、パイロットチャネル（ｗａｌｓｈ特定関数）の信号にパイロットＰＮコードをミキシングして同期を取る。
【００４７】
次にＳＴ３で、パイロットＰＮ同期プログラム３１が、ＣＤＭＡ基地局１５ａ等のパイロットチャネル信号と同期が完了したか否かを判断し、同期が完了しない場合は、ＳＴ４で、腕時計１０が有するサービルエリアテーブルを全て参照したか（一巡したか）判断し、全て参照していない場合は、ＳＴ５に進む。
ＳＴ５では、日本、アメリカ、中国、カナダ等におけるＣＤＭＡ基地局１５ａ等のデータを参照し、そのデータに基づきＳＴ１のパイロットチャネルスキャンを行う。
つまり、例えば、腕時計１０は、日本のＣＤＭＡ基地局１５ａ等を探しているが、実際はアメリカに所在していたという場合は、ＳＴ３でパイロットチャネル信号と同期を取ることができない。そこで、ＳＴ５でアメリカのＣＤＭＡ基地局１５ａ等のデータを取得し
、そのデータに基づき、ＳＴ１のパイロットチャネルスキャンを行う。
【００４８】
一方、ＳＴ４で、腕時計１０が持っているサービルエリアテーブルを全て参照したにもかかわらずパイロットチャネル信号との同期を取ることができないときは、ＳＴ６に進む。ＳＴ６では、ユーザに時刻修正が行われていないことを示すため、例えば、図１の秒針を３秒動かすことで、その旨をユーザに知らせる。そして、時刻修正をユーザ判断に任せ、終了する。
【００４９】
一方、ＳＴ３で、パイロットチャネル信号との同期が完了したときは、ＳＴ７へ進む。
ＳＴ７では、パイロットチャネルからシンクチャネルに切り替えられ、シンクチャネルメッセージの受信を開始する。
具体的には、シンクチャネルメッセージ受信プログラム３２が図１１に示すような、シンクメッセージの受信を開始する。
次に、ＳＴ８でシンクチャネルメッセージの受信が完了したか否かを判断し、シンクチャネルメッセージの受信が完了していないときは、ＳＴ９でタイムアウトか否かを判断し、タイムアウトの場合は、再び、ＳＴ７でシンクチャネルメッセージを受信し直す。
【００５０】
一方、ＳＴ８でシンクチャネルメッセージの受信が完了すると、ＳＴ１０へ進み、図３のＣＤＭＡ基地局電波受信機２４が信号の受信を停止する。
具体的には、受信機制御プログラム３３が動作して、ＣＤＭＡ基地局電波受信機２４のＣＤＭＡ基地局１５ａ等からの電波受信を停止する。つまり、図１０のラストスーパーフレーム（ＬＳ）の終了のタイミングである「Ｅ」や「ＥＥ」で示すタイミングで電波受信を終了する。
これで、腕時計１０は、図１１に示す全てのシンクチャネルメッセージを受信したことになり、このシンクチャネルメッセージは図６のシンクチャネルメッセージデータ格納部５１に、シンクチャネルメッセージデータ５１ａとして格納される。
【００５１】
次にＳＴ１１に進む。ＳＴ１１では、シンクチャネルメッセージデータ５１ａから図１１の「ＰＩＬＯＴ＿ＰＮ」データにおけるパイロットＰＮオフセットデータのチップ数、本実施の形態では、１２８ｃｈｉｐｓというデータを取得し、基本タイミング差チップ数データ５７ａとして、図６の基本タイミング差チップ数データ格納部５７に格納される。
このように生成された基本タイミング差チップ数データ５７ａは、後述する時刻の微調整の基準のデータとなる。
【００５２】
次に、ＳＴ１２に進む。ＳＴ１２以降は、既にＣＤＭＡ基地局１５ａ等から取得したシンクチャネルメッセージの情報に基づいて、時刻修正のためのデータを作成し、実際に時刻修正を行う工程となる。
先ず、ＳＴ１２では、腕時計１０は、例えば日本に所在するため、図６のシンクチャネルメッセージデータ５１ａから、ＧＰＳ時刻、うるう秒、ローカルオフセット時間（日本の場合はＵＴＣに９時間加える）、サマータイム時間（日本の場合は、サマータイムがないので０時間加える）を抽出し、図４の第１次ローカル時刻算出プログラム３４が動作して、第１次ローカル時刻である例えば、第１次日本時刻を算出する。
具体的には、ＧＰＳ時刻を基本にうるう秒データ等に基づいてＵＴＣ時刻を算出し、このＵＴＣ時刻に基づき、ローカルオフセット時間で、例えば、９時間を加え、日本時刻とする。また、日本ではサマータイムを採用していないため、サマータイム時間の補正は実質的行わない。なお、アメリカのようにサマータイム制を採用する国にあっては、サマータイム時間の補正は、極めて、精度の高い時刻修正となる。
【００５３】
本実施の形態では、第１次日本時刻が算出され、この時刻はＧＰＳ時刻に基づいた基本的な時刻データとなる。
このように、算出された第１次日本時刻は、図６の第１次ローカル時刻データ格納部５２に第１次ローカル時刻データ５２ａとして格納される。
【００５４】
ここで算出された第１次ローカル時刻データ５２ａについて説明する。この第１次ローカル時刻データ５２ａは、図１０で説明すると以下のようになる。つまり、腕時計１０が図１０のＣＤＭＡ基地局１５ｂの信号を受信し、そのシンクチャネルメッセージを取得したとすると、受信した時刻（ＧＰＳ時刻）は、上述したパイロットＰＮオフセットデータが０ｃｈｉｐ（０ｍｓ）の場合の時刻を基準とした、ラストスーパーフレームの最後のタイミングから４スーパーフレーム（３２０ｍｓ）後の時刻情報（図１０の例では「Ｆ」における時刻）となる。
しかし、図１０のＣＤＭＡ基地局１５ｂは、そのパイロットＰＮオフセットが例えば、６４ｃｈｉｐ（０．０５２ｍｓ）があるため、その分、実際の受信タイミングとしては、正確なＧＰＳ時刻とは相違している。
【００５５】
このため、本実施の形態で以下の処理を行う。すなわち、ＳＴ１３で、図６の第１次ローカル時刻データ５２ａに対して以下のような補正をかける。つまり、第１次ローカル時刻データ５２ａから３２０ｍｓ（４スーパーフレーム）を減算することで、図１０の「Ｆ」における時刻を「Ｅ」における時刻情報とする。さらに、ＣＤＭＡ基地局１５ｂの信号はパイロットＰＮオフセットが０．０５２ｍｓあるため、その分を加算する。
すると、ラストスーパーフレーム受信完了時（ＥＥ）の正しいＧＰＳ時刻に基づく例えば、日本時刻が生成されることになる。
このような計算は、図４の第２次ローカル時刻算出プログラム３５が、図６の第１次ローカル時刻データ５２ａ、図５の差分時間データ４１ａ及びパイロットＰＮオフセット時間データ４２ａ等に基づいて行い、その結果は、図６の第２次ローカル時刻データ５３ａとして第２次ローカル時刻データ格納部５３に格納される。
図５における差分時間データ４１ａの一例が、上述の３２０ｍｓ（４スーパーフレーム）というデータであり、差分時間データ格納部４１に格納される。また、パイロットＰＮオフセット時間データ４２ａの一例が、上述の６４ｃｈｉｐ（０．０５２ｍｓ）というデータであり、パイロットＰＮオフセット時間データ格納部４２に格納される。
【００５６】
また、ＳＴ１２でシンクチャネルメッセージから取得したＧＰＳ時刻等は、受信部（例えば、ＣＤＭＡ基地局電波受信機２４等）が受信する時刻である受信時刻情報（例えば、図１０の「Ｅ」における時刻情報等）から所定時間経過後（例えば、３２０ｍｓ経過後等）の未来時間情報の一例となっている。また、図５の差分時間データ４１ａが、差分時間情報の一例となっている。
また、第１次ローカル時刻算出プログラム３４及び第２次ローカル時刻算出プログラム３５が、受信部（例えば、ＣＤＭＡ基地局電波受信機２４等）が受信した未来時刻情報（例えば、図１０の「Ｆ」における時刻情報等）と差分時間情報（例えば、差分時間データ４１ａ等）に基づいて受信部の受信時刻情報（例えば、第２次ローカル時刻データ５３ａ等）を生成する受信時刻情報生成部の一例となっている。
【００５７】
ところで、このように、ＳＴ１３で算出された第２次ローカル時刻データ５３ａは、ＧＰＳ時刻に合致した精度の高い時間であるが、ＳＴ１２やＳＴ１３の計算に要する時間等があり、この時間を考慮しないと、その計算時間等の分だけ時刻が相違する（狂う）ことになる。
そこで、ＳＴ１４の工程が行われる。すなわち、図６の第２次ローカル時刻データ５３ａに、処理遅延時間を加算して、最終ローカル時刻を算出する。つまり、この処理遅延時間が当該腕時計１０の上述の計算に要する時間等に該当するが、この時間は、当該腕時計１０によって時間は定まっている。
このため、本実施の形態では、図５に示すように、処理遅延時間データ４３ａを予め固定値として、処理遅延時間データ格納部４３に格納しておく。そして、図４の最終ローカル時間算出プログラム３６は、図６の第２次ローカル時刻データ５３ａに、処理遅延時間データ４３ａを加算して、より精度の高い時刻情報である最終ローカル時刻データ５４ａとして、最終ローカル時刻データ格納部５４に格納する。
【００５８】
このように生成された、最終ローカル時刻データ５４ａはＧＰＳ時刻に合致した極めて精度の高い時刻情報となる。なお、処理遅延時間は、処理時間情報の一例である。
【００５９】
次に、ＳＴ１５に進む。ＳＴ１５では、図４のＲＴＣ及び時刻修正プログラム３７が、図６の最終ローカル時刻データ５４ａに基づき、図３のＲＴＣ２５や図１の針１３等を修正し、時刻修正が完了する。
【００６０】
このように、ＲＴＣ及び時刻修正プログラム３７が、時刻情報表示部の表示時刻情報（例えば、ＲＴＣ２５や針１３等）を修正する表示時刻情報修正部の一例である。また、最終ローカル時刻算出プログラム３６は、ＲＴＣ及び時刻修正プログラム３７が修正する修正用の修正時刻情報（例えば、最終ローカル時刻データ５４ａ等）を生成する修正時刻情報生成部の一例となっている。
【００６１】
このように本実施の形態によれば、ＳＴ１１でＣＤＭＡ基地局電波受信機２４がＣＤＭＡ基地局１５ａ等の電波の受信を停止するので、電池２７の消費電力を小さくすることができる。
図１０を用いて具体的に説明する。図９の（Ｄ）はＣＤＭＡ基地局１５ｂからシンクチャネルメッセージを受信し、その後、時刻同期を行う、従来の電源シーケンスを示す。図１０に示すように、従来は、図１０の「ＦＦ」の部分まで信号を継続して受信しているため電源は継続して信号受信用の出力状態となっている。
これに対して、本実施の形態の電源シーケンスは図１０の（Ｃ）である。（Ｃ）に示すように、信号の受信は、図１０の「ＥＥ」の部分で終了し、その後、通信を行っていない。
このため、本実施の形態の腕時計１０は、消費電力を小さくすることができるので、超低電力が要求される時計等の機器にも搭載可能であり、且つ、極めて高精度な時刻修正も可能となっている。
【００６２】
ＳＴ１５で、シンクチャネルメッセージデータ５１ａを用いた時刻修正が終了し、次に、本実施の形態の次に大きな特徴である時刻の微調整の工程となる。
先ず、ＳＴ１６で時刻修正間隔タイマが動作する。すなわち、ＣＤＭＡ基地局電波受信機２４は、上述のシンクチャネルメッセージデータ５１ａから取得したＧＰＳ時刻に基づいて、ＧＰＳ時刻の偶数秒でタイマを動作させ、次いで、ＳＴ１７で、１０秒経過したか否かを判断する。
すなわち、図４の時刻修正開始判断プログラム３８が動作し、図５の連続時刻修正間隔データ格納部４５に格納されている連続時刻修正間隔データ４５ａを参照する。
この連続時刻修正間隔データ４５ａは、例えば１０秒となっている。この時間は偶数秒であればよく、２０秒であってもよい。
また、精度のよいＲＴＣ２５等を用いれば、その連続時刻修正間隔はより大としても良く、例えば、６０秒乃至９００秒間隔としても構わない。
ところで、上述のように、図１０に示すパイロットＰＮ信号は、ＧＰＳ時刻の偶数秒に同期して発信されているため、ＧＰＳ時刻の偶数秒におけるスーパーフレーム（Ｓ）の開始部分のタイミングを基準とすることにより、ＧＰＳ時刻との誤差を精度良く把握することができる。
【００６３】
この点について詳述する。先ず、ＣＤＭＡ基地局電波受信機２４が受信する信号を図１０のＣＤＭＡ基地局１５ｂであるとする。この場合でも、受信したＧＰＳ時刻は、上述のようにパイロットＰＮオフセットデータが「０」である、図１０のＣＤＭＡ基地局１５ａの時刻となる。
そこで、腕時計１０のＲＴＣ２５が、このＧＰＳ時刻に基づき１０秒を計測した場合、この１０秒後に対応するパイロットＰＮ信号のスーパーフレーム（Ｓ）は、図１０のＣＤＭＡ基地局１５ｂではなく、ＣＤＭＡ基地局１５ａのスーパーフレーム（Ｓｂ）となる。
本実施の形態における時刻の微調整では、このように、一度取得したＧＰＳ時刻（パイロットＰＮオフセットデータが含まれていない）に基づき、その後の時刻修正までの間隔を計測することとなる。
つまり、ＣＤＭＡ基地局電波受信機２４の信号は、図１０のＣＤＭＡ基地局１５ａの１０ｓ（秒）目のスーパーフレーム（Ｓｂ）の開始部分（Ｓｂ１）に対応して出力される関係となる。
これに対して、実際にＣＤＭＡ基地局電波受信機２４が受信しているのは、図１０のＣＤＭＡ基地局１５ｂの信号（パイロットＰＮオフセットデータが含まれている）である。
ところで、ＣＤＭＡ基地局１５ｂの信号のうち、パイロットＰＮ信号は、上述のように、１２８チップ（ｃｈｉｐｓ）だけ、ＧＰＳ時刻より遅延させているため、腕時計１０のＣＤＭＡ基地局電波受信機２４の出力信号（つまり、電池２７の出力信号）が上述のＳＴ７で受信したＧＰＳ時刻に従い出力されれば、ＣＤＭＡ基地局電波受信機２４の出力信号は、ＣＤＭＡ基地局１５ｂのスーパーフレームより１２８チップ分だけ早く出力されるはずである。
この関係について図１２を用いて説明する。図１２は、図１０のＣＤＭＡ基地局１５ｂのスーパーフレーム（Ｓａ）と電池シーケンスとの関係等を示す概略説明図である。
【００６４】
図１２に示すように、同図には、ＣＤＭＡ基地局１５ｂのスーパーフレーム（Ｓａ）の開始部分（Ｓａ１）と、これに対応する電池シーケンスが記載されている。
図１２においては、上述のＳＴ７取得したＧＰＳ時刻に基づいてＲＴＣ２５が計測して、１０秒後に電池２７の出力信号が出力される状態が示されている。具体的には、電池２７の出力信号の開始部分はＢａ１で示されている。
また、図１２には、腕時計１０が実際に受信しているＣＤＭＡ基地局１５ｂにおける上述の１０秒後に対応するスーパーフレーム（Ｓａ）が示されている。このスーパーフレーム（Ｓａ）の開始部分はＳａ１で示されている。
そして、図１２における、これらＢａ１とＳａ１との差をチップ（ｃｈｉｐｓ）で換算すると、本実施の形態では、例えば１７８チップ（ｃｈｉｐｓ）となっている。
腕時計１０のＲＴＣ２５等に全く誤差が生じていない場合は、このＢａ１とＳａ１との差は１２８チップのはずであるから、この例では、１０秒間で時刻誤差が生じていることを示している。この点については、後述する。
本実施の形態では、この１７８チップというデータは、図６の比較タイミング差チップ数データ５８ａとして、比較タイミング差チップ数データ格納部５８に格納される構成となっている。
【００６５】
また、図８のＳＴ１８に示すように、腕時計１０は、ＧＰＳ時刻に基づき、そのＲＴＣ２５で時刻を計測し、１０秒経過すると、ＣＤＭＡ基地局電波受信機２４は、それまで、ＣＤＭＡ基地局１５ｂ等の信号を受信していなかったが、そのタイミングで受信を開始し、受信を８０ｍｓ（ミリ秒）間続けることになる。
【００６６】
ところで、上述のように、ＣＤＭＡ基地局１５ｂのパイロットＰＮ信号のオフセットデータ（１２８チップ（ｃｈｉｐｓ））は、図６の基本タイミング差チップ数データ５７ａとして格納されている。
また、ＳＴ７で取得したＧＰＳ時刻に基づき、ＲＴＣ２５が計測した１０秒後における、電池シーケンスと、それに対応するＣＤＭＡ基地局１５ｂのスーパーフレーム（Ｓａ）の開始部分（Ｓａ１）とのタイミング差（図１２参照）は、図６の比較タイミング差チップ数データ（１７８チップ（ｃｈｉｐｓ））５８ａとして格納される。
具体的には、ＳＴ１９で、図４のパイロットＰＮ信号／電池出力タイミング差分取得プログラム３９が、この比較タイミング差チップ数データ５８ａを取得する。
以上から、これら基本タイミング差チップ数データ５７ａと比較タイミング差チップ数データ５８ａを比較し、その差があれば、その差が腕時計１０のＲＴＣ２５の誤差となる。
【００６７】
そこで、本実施の形態では、ＳＴ２０が行われる。すなわち、図４に示す、修正チップ数算出プログラム６１が、基本タイミング差チップ数データ５７ａである１２８チップと、比較タイミング差チップ数データ５８ａである１７８チップを比較し、その差、この例の場合「５０チップ」が、図６の修正チップ数データ５９ａとして記憶される。
【００６８】
つまり、本実施の形態の場合は、５０チップ分だけ「ずれ」が大きくなったため、例えば、５０（ｃｈｉｐｓ）×８１４ｎｓ分だけＲＴＣ２５を補正（時間を進める）することになる。
図１２では、５０チップ分だけ「ズレ」が大きくなった場合を示したが、逆に、例えば５０チップ分だけ少なくなった場合も、ＲＴＣ２５の時間を遅くすることで補正をすることができることになる。
具体的には、図９のＳＴ２３で、ＲＴＣ及び時刻修正プログラム３７がＲＴＣを修正することになる。
【００６９】
つまり、修正チップ数データ５９ｃは、差分タイミング変化情報の一例であり、修正チップ数算出プログラム６１は、差分タイミング変化情報生成部の一例となっている。また、表示時刻情報修正部であるＲＴＣ及び時刻修正プログラム３７が、差分タイミング変化情報（例えば、修正チップ数データ５９ｃ等）に基づいて表示時刻情報（例えば、ＲＴＣ２５等）を修正する構成となっている。
【００７０】
そして、図１２のスーパーフレーム（Ｓａ）の開始部分のＳａ１部分は、フレーム情報（例えば、スーパーフレーム（Ｓ）等）の特定部分のタイミング情報であるフレームタイミング情報の一例であり、ＧＰＳ基準フレーム部分の一例でもある。また、電池シーケンスの出力の開始部分であるＢ１部分は、フレーム情報（例えば、スーパーフレーム（Ｓ）等）の特定部分（例えば、前記Ｓａ１部分等）を受信するために受信部（例えば、ＣＤＭＡ基地局電波受信機２４等）が動作する受信部タイミング情報の一例となっている。
さらに、基本タイミング差チップ数データ５７ａは、フレームタイミング情報（例えば、Ｓａ１部分等）と受信部タイミング情報（例えば、Ｂａ１部分等）との差分情報である差分タイミング情報の一例であり、パイロットＰＮ信号／電池出力タイミング差分取得プログラム３９は、差分タイミング情報（例えば、比較タイミング差チップ数データ５８ａ等）を生成する差分タイミング情報生成部の一例となっている。また、ＳＴ１９は、差分タイミング情報生成工程の一例となっている。
【００７１】
なお、本実施の形態では、ＣＤＭＡ基地局電波受信機２４は、電池シーケンスの開始部分Ｂａ１とパイロットＰＮ信号のスーパーフレーム（Ｓａ）の開始部分（Ｓａ１）とのタイミング差に基づいて、時刻の微調整を行う。このため、このタイミング差のみを把握すれば足りるので、極めて短時間である８０ｍｓ（ＳＴ１８参照）だけＣＤＭＡ基地局１５ｂ等から信号を受信すれば足りる。このため、極めて消費電力を小さくすることができる構成となっている。
なお、この８０ｍｓは、図１２のスーパーフレーム（Ｓａ、Ｓｂ）の長さに対応している。
また、本実施の形態では、電池シーケンスを基準としている。これは、ＣＤＭＡ基地局電波受信機２４が受信をするタイミングが、電池２７の出力タイミングと同期するため電池シーケンスにより、ＣＤＭＡ基地局電波受信機２４の受信タイミングを取得しようとするものである。
【００７２】
一方、本実施の形態では、ＳＴ２１で、修正チップ数が１２８チップを超えるか否かを判断している。すなわち、修正チップ数データ５９ａが大きすぎると、もはや微調整ではないと判断すべきことから、１０秒毎のＲＴＣ２５の微調整を行わない工程となっている。
【００７３】
このように本実施の形態では、最初、シンクチャネルメッセージ等を取得して、ＲＴＣ２５等の時刻修正をした後、例えば、１０秒毎（図１０参照）に８０ｍｓ間だけ、ＣＤＭＡ基地局電波受信機２４で電波を受信することで、１０秒毎に、ＧＰＳ時刻に沿った極めて精度の高い時刻修正を行うことができる。
また、この時刻修正は、８０ｍｓという極めて短時間の信号受信でおこなうので、消費電力が小さくなり、超低電力が求められる腕時計１０にとって好ましい時刻修正装置ともなっている。
【００７４】
また、基本タイミング差チップ数データ５７ａは、受信部（ＣＤＭＡ基地局電波受信機２４等）が基地局（ＣＤＭＡ基地局１５ｂ等）の発信する時刻情報を含むメッセージデータ（例えば、シンクチャネルメッセージデータ５１ａ等）を受信した際に取得する基本差分タイミング情報の一例となっており、比較タイミング差チップ数データ５８ａが、受信部（ＣＤＭＡ基地局電波受信機２４等）がメッセージデータを取得した後に取得する比較差分タイミング情報の一例となっている。
また、ＳＴ２０は、差分タイミング変化情報生成工程の一例であり、ＳＴ２３は、表示時刻情報修正工程の一例となっている。
【００７５】
ところで、図９のＳＴ２１で、１０秒毎の連続時刻修正ができない場合は、ＳＴ２２で、２４時間経過したか否か判断され、その後、ＳＴ１の工程が行われる。
また、図７及び図８は、図１１のローカルオフセット時間及びサマータイムデータは、ＣＤＭＡ基地局１５ａ等から受信したシンクチャネルメッセージに基づいて自動的に修正される工程としたが、これらを腕時計１０のユーザが設定可能としてもよい。
この場合は、図３のりゅうず２８等を用いて入力されたローカルオフセット時間は、図６の入力ローカルオフセット時間データ５５ａとして入力ローカルオフセット時間データ格納部５５に格納される。また、同様に入力されたサマータイム時刻データとして入力サマータイムデータ５６ａとして入力サマータイムデータ格納部５６に格納される。
この場合は、上述のＳＴ１１では、この入力されたデータに基づいて第１次ローカル時刻が算出されるので、ユーザの希望通りの時刻修正が可能となる。
【００７６】
本発明は、上述の実施の形態に限定されない。
【図面の簡単な説明】
【００７７】
【図１】本発明に係る時刻修正装置付き計時装置である例えば、時刻修正装置付き腕時計を示す概略図である。
【図２】図１の腕時計の内部の主なハードウエア構成等を示す概略図である。
【図３】腕時計の主なソフトウエア構成等を示す概略全体図である。
【図４】図３の各種プログラム格納部内のデータを示す概略図である。
【図５】図３の第１の各種データ記憶部内のデータを示す概略図である。
【図６】図３の第２の各種データ記憶部内のデータを示す概略図である。
【図７】本実施の形態にかかる腕時計の主な動作等を示す概略フローチャートである。
【図８】本実施の形態にかかる腕時計の主な動作等を示す他の概略フローチャートである。
【図９】本実施の形態にかかる腕時計の主な動作等を示す他の概略フローチャートである。
【図１０】ＣＤＭＡ基地局から送信される信号の同期タイミング等を示す概略図である。
【図１１】シンクチャネルメッセージの内容を示す概略図である。
【図１２】図１０のスーパーフレーム（Ｓａ）等を示す概略説明図である。
【符号の説明】
【００７８】
１０・・・時刻修正装置付き腕時計、１２・・・文字板、１５ａ及び１５ｂ・・・ＣＤＭＡ基地局、２４・・・ＣＤＭＡ基地局電波受信機、２５・・・リアルタイムクロック（ＲＴＣ）、２７・・・電池、３１・・・パイロットＰＮ同期プログラム、３２・・・シンクチャネルメッセージ受信プログラム、３３・・・受信機制御プログラム、３４・・・第１次ローカル時刻算出プログラム、３５・・・第２次ローカル時刻プログラム、３６・・・最終ローカル時間算出プログラム、３７・・・ＲＴＣ及び時刻修正プログラム、３８・・・時刻修正開始判断プログラム、３９・・・パイロットＰＮ信号／電池出力タイミング差分取得プログラム、４１ａ・・・差分時間データ、４２ａ・・・パイロットＰＮオフセット時間データ、４３ａ・・・処理遅延時間データ、４４ａ・・・時刻修正間隔データ、４５ａ・・・連続時刻修正間隔データ、５１ａ・・・シンクチャネルメッセージデータ、５２ａ・・・第１次ローカル時刻データ、５３ａ・・・第２次ローカル時刻データ、５４ａ・・・最終ローカル時刻データ、５７ａ・・・基本タイミング数チップデータ、５８ａ・・・比較タイミング差チップ数データ、５９ａ・・・修正チップ数データ、６１・・・修正チップ数算出プログラム
【図１】
2008051526.tif 000003
【図２】
2008051526.tif 000004
【図３】
2008051526.tif 000005
【図４】
2008051526.tif 000006
【図５】
2008051526.tif 000007
【図６】
2008051526.tif 000008
【図７】
2008051526.tif 000009
【図８】
2008051526.tif 000010
【図９】
2008051526.tif 000011
【図１０】
2008051526.tif 000012
【図１１】
2008051526.tif 000013
【図１２】
2008051526.tif 000014